(57)【特許請求の範囲】
【請求項１】
サイディングボードを使用した建築物の外壁工事に使用される建物外壁の接合構造において、
突合わせ部の内方に所定形状及び所定深さの受入れ凹部が形成されたサイディングボードと、
上記受入れ凹部に対して、少なくともその頂部が入り込んだ状態で配置される導水壁と、該導水壁を挟んでその左右に適宜の間隔を隔てて配置される２枚の遮水壁と、上記導水壁と２枚の遮水壁の基端部を支持し、建築構造躯体の一部または上記サイディングボードと建築構造躯体との間に配置される補助躯体ないし固定金具によって構成される中間部材に対して取り付けられる取付け座板と、を備える建物外壁の接合具と、を具備し、
上記導水壁と２枚の遮水壁と取付け座板は、上記サイディングボードに形成された受入れ凹部の伸長方向に沿い、当該受入れ凹部とほぼ同じ長さで一様断面の金属製または合成樹脂製の長尺部材によって構成されており、
上記導水壁には、該導水壁をくるむように被覆する吸水性を有するスポンジ材が取り付けられており、上記導水壁の頂部に設けられたスポンジ材は、上記サイディングボードに形成されている上記受入れ凹部に入り込んだ状態で配置されており、上記導水壁の基端部に設けられたスポンジ材は導水壁と遮水壁と取付け座板とサイディングボードの内壁面とによって区画された空間によって形成される排水路に配置されていることを特徴とする建物外壁の接合構造。
【請求項２】
上記建物外壁の接合具における取付け座板と建築構造躯体との間、または上記中間部材と建築構造躯体との間には、透湿防水シートが貼設されていることを特徴とする請求項１記載の建物外壁の接合構造。
【請求項３】
上記サイディングボードに形成される受入れ凹部は、サイディングボードの突合わせ面に沿って形成される矩形溝形状の凹部であることを特徴とする請求項１または２記載の建物外壁の接合構造。
【請求項４】
上記サイディングボードに形成される受入れ凹部は、サイディングボードの突合わせ面に沿って形成される、途中に屈曲部を有する合しゃくり溝形状の凹部であることを特徴とする請求項１〜３のいずれかに記載の建物外壁の接合構造。
【請求項５】
サイディングボードを使用した建築物の外壁工事に使用される建物外壁の接合方法において、
接合するサイディングボードの突合わせ部に位置する建築構造躯体、または同位置のサイディングボードと建築構造躯体の間に設けられる補助躯体ないし固定金具によって構成される中間部材に対して、建物外壁の接合具を取り付ける接合具設置工程と、
上記建物外壁の接合具は、中央に導水壁、その左右に２枚の遮水壁、これらの基端部を支持する取付け座板と、を備えており、
上記導水壁と２枚の遮水壁と取付け座板は、上記サイディングボードに形成された受入れ凹部の伸長方向に沿い、当該受入れ凹部とほぼ同じ長さで一様断面の金属製または合成樹脂製の長尺部材によって構成されており、
このうち上記導水壁に対して吸水性を有するスポンジ材を宛がい、当該スポンジ材で導水壁をくるんで被覆するスポンジ材設置工程と、
上記スポンジ材で被覆した導水壁の頂部を上記サイディングボードの突合わせ部内方に形成されている受入れ凹部に押し込むようにして入れ、上記導水壁の基端部に設けられたスポンジ材を導水壁と遮水壁と取付け座板とサイディングボードの内壁面とによって区画された空間によって形成される排水路に配置し、該導水壁の左右に配置される２枚の遮水壁の頂部を、上記受入れ凹部を挟んだ上記サイディングボードの内壁面に当接または近傍する位置に至らせるサイディングボード設置工程と、を具備していることを特徴とする建物外壁の接合方法。
【請求項６】
上記建物外壁の接合具を、コーナー部用のサイディングボードを使用した建物外壁のコーナー部に設置する場合には、当該コーナー部用のサイディングボードと接合する左右２枚の平面部用のサイディングボードとの間に形成される２ヶ所の突合わせ部に対して、１組ずつ、計２組の建物外壁の接合具を設置してサイディングボードを接合するようにしたことを特徴とする請求項５記載の建物外壁の接合方法。
【請求項７】
上記建物外壁の接合具を、コーナー部用のサイディングボードを使用しない建物外壁のコーナー部に設置する場合には、上記取付け座板が折り曲げられた形状または曲面形状で、上記左右の遮水壁が互いに交差する位置に配置されている１組の建物外壁の接合具を使用して当該コーナー部に存する２枚の平面部用のサイディングボードを接合するようにしたことを特徴とする請求項５記載の建物外壁の接合方法。
【発明の詳細な説明】
【技術分野】
【０００１】
本発明は、建物の外壁材として使用されるサイディングボードをシーリング材無しで接合する、いわゆるシーリングレス工法において使用できる建物外壁の接合具、該接合具を備えた建物外壁の接合構造及び該接合構造を構築する際に実行される建物外壁の接合方法に関する。
【背景技術】
【０００２】
建築物の外壁工事等を行う場合には、下記の特許文献１に開示されているようなサイディングボードが広く使用されている。サイディングボードとしては多種のデザイン、質感、色のものが用意されており、また建築構造躯体の壁面部を外装するのに使用される平面部用サイディングボードの他、建築構造躯体の出隅と入隅を含むコーナー部を外装するのに使用されるコーナー部用のサイディングボードがある。
そして、このようなサイディングボードを使用して建築物の外壁工事等を行う場合には、隣り合うサイディングボード間にできる隙間にシーリング材を充填してサイディングボードを接合する下記の特許文献１に示すようなシーリング工法が従来から多く行われている。しかし、近時は施工のやり易さと施工後の建物外壁の外観品質が良いことが注目されて、サイディングボードをシーリング材無しで接合する、シーリングレス工法が主流になってきている。
【０００３】
また、接合するサイディングボード１０１、１０２の突合わせ部に通気性の確保と位置決めを目的にして図１０に示すようなハット型の形状をした「ハット型ジョイナー」と呼ばれている接合金物１０３が使用される場合がある（下記特許文献１の図８にも開示されている）。
このものは、接合するサイディングボード１０１、１０２間に形成した隙間１０４に嵌まる内部に通気口１０５が形成された嵌合凸部１０６と、木材下地１０７等を介して建築構造躯体１０８の表面側の壁面部に取り付けられる取付け座板１０９と、が一体に形成された接合金物１０３である。また、図１０では上記接合金物１０３の頂部の高さがサイディングボード１０１、１０２間に形成した隙間１０４の上端の高さよりも低くなっており、これによってできた段差凹部にシーリング材１１０を充填してサイディングボード１０１、１０２間に形成した隙間を埋める構成になっている。
【先行技術文献】
【特許文献】
【０００４】
【特許文献１】特開平１１−３１１０１０号公報
【発明の概要】
【発明が解決しようとする課題】
【０００５】
上述したシーリングレス工法では、施工が容易で施工後の建物外壁の外観が優れる反面、建物内への雨水等の浸入の心配がある。そこで雨水等の浸入を防ぐための上記シーリング材に代わる構造が必要になってくる。この場合、接合するサイディングボードの一方の突合せ部の内方に凹部を形成し、該凹部を利用して上述したハット型をした接合金物を取り付けて止水性を高める構成が考えられる。
しかし、接合されたサイディングボードの突合せ部に対して形成される、僅かな隙間からでも上記接合金物の表面を伝ってサイディングボードの内側に雨水等は容易に浸入する。そして、サイディングボードの内側に浸入した雨水等は、木材下地に達し、その内部の建築構造躯体にしみ込んで建築構造躯体に大きなダメージを与える。
【０００６】
本発明はこのような点に基づいてなされたもので、その目的とするところは施工が容易で施工後の外観に優れるシーリングレス工法に対応でき、シーリング材を使用しなくても高い止水性が得られる安価な建築外壁の接合具、該接合具を備えた建物外壁の接合構造及び該接合構造を構築する際に実行される建物外壁の接合方法を提供することにある。
【課題を解決するための手段】
【０００７】
【０００８】
【０００９】
【００１０】
【００１１】
上記目的を達成すべく本発明の請求項１による建物外壁の接合構造は、サイディングボードを使用した建築物の外壁工事に使用される建物外壁の接合構造において、突合わせ部の内方に所定形状及び所定深さの受入れ凹部が形成されたサイディングボードと、上記受入れ凹部に対して、少なくともその頂部が入り込んだ状態で配置される導水壁と、該導水壁を挟んでその左右に適宜の間隔を隔てて配置される２枚の遮水壁と、上記導水壁と２枚の遮水壁の基端部を支持し、建築構造躯体の一部または上記サイディングボードと建築構造躯体との間に配置される補助躯体ないし固定金具によって構成される中間部材に対して取り付けられる取付け座板と、を備える建物外壁の接合具と、を具備し、
上記導水壁と２枚の遮水壁と取付け座板は、上記サイディングボードに形成された受入れ凹部の伸長方向に沿い、当該受入れ凹部とほぼ同じ長さで一様断面の金属製または合成樹脂製の長尺部材によって構成されており、
上記導水壁には、該導水壁をくるむように被覆する吸水性を有するスポンジ材が取り付けられており、上記導水壁の頂部に設けられたスポンジ材は、上記サイディングボードに形成されている上記受入れ凹部に入り込んだ状態で配置されており、上記導水壁の基端部に設けられたスポンジ材は導水壁と遮水壁と取付け座板とサイディングボードの内壁面とによって区画された空間によって形成される排水路に配置されていることを特徴とするものである。
【００１２】
【００１３】
また、請求項２による建物外壁の接合構造は、請求項１記載の建物外壁の接合構造において、上記建物外壁の接合具における取付け座板と建築構造躯体との間、または上記中間部材と建築構造躯体との間には、透湿防水シートが貼設されていることを特徴とするものである。
【００１４】
また、請求項３による建物外壁の接合構造は、請求項１または２記載の建物外壁の接合構造において、上記サイディングボードに形成される受入れ凹部は、サイディングボードの突合わせ面に沿って形成される矩形溝形状の凹部であることを特徴とするものである。
【００１５】
また、請求項４による建物外壁の接合構造は、請求項１〜３のいずれかに記載の建物外壁の接合構造において、上記サイディングボードに形成される受入れ凹部は、サイディングボードの突合わせ面に沿って形成される、途中に屈曲部を有する合しゃくり溝形状の凹部であることを特徴とするものである。
【００１６】
また、本発明の請求項５による建物外壁の接合方法は、サイディングボードを使用した建築物の外壁工事に使用される建物外壁の接合方法において、
接合するサイディングボードの突合わせ部に位置する建築構造躯体、または同位置のサイディングボードと建築構造躯体の間に設けられる補助躯体ないし固定金具によって構成される中間部材に対して、建物外壁の接合具を取り付ける接合具設置工程と、
上記建物外壁の接合具は、中央に導水壁、その左右に２枚の遮水壁、これらの基端部を支持する取付け座板と、を備えており、
上記導水壁と２枚の遮水壁と取付け座板は、上記サイディングボードに形成された受入れ凹部の伸長方向に沿い、当該受入れ凹部とほぼ同じ長さで一様断面の金属製または合成樹脂製の長尺部材によって構成されており、
このうち上記導水壁に対して吸水性を有するスポンジ材を宛がい、当該スポンジ材で導水壁をくるんで被覆するスポンジ材設置工程と、
上記スポンジ材で被覆した導水壁の頂部を上記サイディングボードの突合わせ部内方に形成されている受入れ凹部に押し込むようにして入れ、上記導水壁の基端部に設けられたスポンジ材を導水壁と遮水壁と取付け座板とサイディングボードの内壁面とによって区画された空間によって形成される排水路に配置し、該導水壁の左右に配置される２枚の遮水壁の頂部を、上記受入れ凹部を挟んだ上記サイディングボードの内壁面に当接または近傍する位置に至らせるサイディングボード設置工程と、を具備していることを特徴とするものである。
【００１７】
また、請求項６による建物外壁の接合方法は、請求項５記載の建物外壁の接合方法において、上記建物外壁の接合具を、コーナー部用のサイディングボードを使用した建物外壁のコーナー部に設置する場合には、当該コーナー部用のサイディングボードと接合する左右２枚の平面部用のサイディングボードとの間に形成される２ヶ所の突合わせ部に対して、１組ずつ、計２組の建物外壁の接合具を設置してサイディングボードを接合するようにしたことを特徴とするものである。
【００１８】
また、請求項７による建物外壁の接合方法は、請求項５記載の建物外壁の接合方法において、上記建物外壁の接合具を、コーナー部用のサイディングボードを使用しない建物外壁のコーナー部に設置する場合には、上記取付け座板が折り曲げられた形状または曲面形状で、上記左右の遮水壁が互いに交差する位置に配置されている１組の建物外壁の接合具を使用して当該コーナー部に存する２枚の平面部用のサイディングボードを接合するようにしたことを特徴とするものである。
【発明の効果】
【００１９】
そして、上記手段によって以下のような効果が得られる。即ち、本発明の建物外壁の接合具によると、接合部に凹部や隙間が存在しないサイディングボードが使用できるから、サイディングボードをシーリング材無しで接合するシーリングレス工法による建築物の外壁工事に使用できる。また、設置状態において受入れ凹部に対して、頂部が入り込んだ状態で配置される導水壁を設けたから、サイディングボードの突合わせ面から浸入した雨水等は、当該導水壁を伝って、導水壁と遮水壁と取付け座板とサイディングボードの内壁面とによって区画された樋状の空間に導かれ、下方に流れてその下端の排水口から外部に排出される。従って、雨水等はサイディングボードの内方空間には至るが、建物内部へのそれ以上の浸入は防止されている。
そして、このとき、建物内部への雨水等の浸入を防止する主な役割を有しているのが遮水壁であり、該遮水壁の存在によってサイディングボードの内方空間に導かれた雨水等は、サイディングボードと建築構造躯体との間に配置される中間部材側に浸入することが防止されている。
【００２０】
また、サイディングボードを設置した状態で上記遮水壁の頂部をサイディングボードの内壁面に当接またはその近傍に位置するように配置し、左右の遮水壁の間隔を上記受入れ凹部の間隙よりも大きくなるように設定した場合には、上記サイディングボードの突合わせ面から浸入した雨水等は、上記樋状の空間に確実に導かれるから、上記中間部材側への雨水等の浸入が効果的に防止される。
また、建物外壁の接合具が、上記受入れ凹部の伸長方向に沿い、当該受入れ凹部とほぼ同じ長さの一様断面の長尺部材によって構成されている場合には、上記樋状の空間に導かれた雨水等は、流下途中で外に漏れることなく、確実に排水口に導かれて外部に排出される。また、建物外壁の接合具を金属製とした場合には、機械的強度が増大し耐久性が向上する。一方、建物外壁の接合具を合成樹脂製とした場合には、安価で軽量の建物外壁の接合具を提供することが可能になり、複雑な形状の建物外壁の接合具を成形することも可能になる。
【００２１】
また、建物外壁の接合具の取付け座板を、取り付ける建物外壁の形状や部位に合わせて平面形状、折り曲げられた形状または曲面形状に形成し、左右の遮水壁の位置を取り付ける建物外壁の形状や部位に合わせて左右対称の位置、左右非対称の位置または左右の遮水壁が平行ないし交差する適宜の位置に配置するようにした場合には、種々の形状や部位の建物外壁に対応し得る建物外壁の接合具を提供できるようになる。
【００２２】
また、本発明の建物外壁の接合構造によると、サイディングボードの突合わせ部の内方の所定形状及び所定深さの受入れ凹部を形成し、該受入れ凹部に対して、少なくともその頂部が入り込んだ状態で配置される導水壁と、該導水壁を挟んでその左右に配置される２枚の遮水壁と、上記導水壁と２枚の遮水壁の基端部を支持する取付け座板と、を備える建物外壁の接合具を具備しているから、シーリングレス工法による建築物の外壁工事を低コストで短期間に行うことが可能になる。
また、上記導水壁と２枚の遮水壁と取付け座板とサイディングボードの内壁面とによって区画された樋状の空間が形成されて当該空間が排水路として機能するから、サイディングボードの内方空間に浸入した雨水等を建築構造躯体側に浸入させることなく確実に排水口に導いて外部に排出することが可能になる。
【００２３】
また、上記導水壁に対して、該導水壁をくるむように被覆する吸水性を有するスポンジ材を取り付け、該スポンジ材の一部を上記受入れ凹部に入り込ませた状態で配置した場合には、サイディングボードの突合わせ面から受入れ凹部内に浸入した雨水等は、スポンジ材の有する毛細管現象によって吸水され、スポンジ材によって捕捉された状態で下端の排水口から外部に確実に排出されるようになる。
また、上記取付け座板と建築構造躯体との間、または上記中間部材と建築構造躯体との間に透湿防水シートを貼設した場合には、当該部位に浸入した雨水等の建築構造躯体側へのそれ以上の浸入を防止でき、建物外壁の接合構造の止水性を更に向上させることができる。また、透湿防水シートは液体の水は通さないが気体である水蒸気（湿気）や乾いた空気は通すので建物外壁内外の通気性も確保できる。
【００２４】
また、上記受入れ凹部の形状をサイディングボードの突合わせ面に沿って形成される矩形溝形状に形成した場合には、受入れ凹部の形成が容易になって安価なサイディングボードの提供が可能になる。
また、上記受入れ凹部の形状をサイディングボードの突合わせ面に沿って形成される途中に屈曲部を有する合しゃくり溝形状に形成した場合には、突合わせ面からの雨水等の浸入の虞れが更に少ない止水性の優れたサイディングボードの提供が可能になる。
【００２５】
また、本発明の建物外壁の接合方法によると、基本的に接合具設置工程と、スポンジ材設置工程と、サイディングボード設置工程の３工程によってサイディングボードの接合を行うことができるから、従来のシーリング工法において設けられていた面倒なシーリング材の充填工程が不要になり、建築物の外壁工事の施工性が向上する。また、シーリングレス工法に対応できるから施工後の建物外壁の外観品質が良好であり、導水壁と遮水壁と取付け座板とを備えた建物外壁の接合具の採用によって建物外壁の止水性が向上する。
また、建物外壁のコーナー部にコーナー部用のサイディングボードを使用している場合には、建物外壁の接合具を２組使用することにより、コーナー部用のサイディングボードを挟んで左右に位置する平面部用のサイディングボードとの接合にも対応できるようになる。また、取付け座板を折り曲げられた形状または曲面形状とし、左右の遮水壁を互いに交差する位置に配置した１組の建物外壁の接合具を使用することにより、建物外壁のコーナー部にコーナー部用のサイディングボードを使用しない場合でも、交差した状態で配置される２枚の平面部用のサイディングボードを接合することが可能になる。
【図面の簡単な説明】
【００２６】
【図１】本発明の第１の実施の形態を示す図で、本発明の建物外壁の接合構造を適用した建築物の一部を示す斜視図である。
【図２】本発明の第１の実施の形態を示す図で、本発明の建物外壁の接合構造を適用した建物外壁の一部を示す側断面図である。
【図３】本発明の第１の実施の形態を示す図で、本発明の建物外壁の接合構造を示す平断面図である。
【図４】本発明の第１の実施の形態を示す図で、本発明の建物外壁の接合構造の変形例を示す平断面図である。
【図５】本発明の第１の実施の形態を示す図で、本発明の建物外壁の接合構造の他の変形例を示す平断面図である。
【図６】本発明の第２の実施の形態を示す図で、本発明の建物外壁の接合構造を示す平断面図である。
【図７】本発明の第３の実施の形態を示す図で、本発明の建物外壁の接合方法を示すブロック図である。
【図８】本発明の第４の実施の形態を示す図で、本発明の建物外壁の接合具を建物外壁のコーナー部に設置する場合の態様を示す平断面図である。
【図９】本発明の第５の実施の形態を示す図で、本発明の建物外壁の接合具を建物外壁のコーナー部に設置する場合の他の態様を示す平断面図である。
【図１０】従来例を示す図で、従来の建物外壁の接合構造を示す平断面図である。
【発明を実施するための形態】
【００２７】
以下、図１〜図５に示す第１の実施の形態と、図６に示す第２の実施の形態と、図７に示す第３の実施の形態と、図８に示す第４の実施の形態と、図９に示す第５の実施の形態の５つの実施の形態を例にとって、本発明の建物外壁の接合具、該接合具を備えた建物外壁の接合構造、該接合構造を構築する際に実行される建物外壁の接合方法の内容を具体的に説明する。
尚、以下の説明では、第１の実施の形態を例にとって、本発明の建物外壁の接合具と、該建物外壁の接合具を備えた本発明の建物外壁の接合構造の具体的構成とその作用について説明する。また、第２の実施の形態では、受入れ凹部３の形状が異なる他の建物外壁の接合構造の構成を上記第１の実施の形態との差異を中心に説明する。
【００２８】
また、第３の実施の形態では、本発明の建物外壁の接合方法を、上記図３に示す第１の実施の形態の建物外壁の接合構造を構築する場合を例にとって説明する。
また、第４の実施の形態では、建物外壁のコーナー部に本発明の建物外壁の接合具を設置する場合の態様を説明する。また、第５の実施の形態では、建物外壁のコーナー部に本発明の建物外壁の接合具を設置する場合の他の態様と、当該態様に使用する建物外壁の接合具の具体的構成について説明する。
【００２９】
（１）第１の実施の形態（図１〜図５参照）
本発明の建物外壁の接合具１は、サイディングボード２を使用した建築物の外壁工事に使用され、サイディングボード２の突合わせ部３の内方に形成される受入れ凹部４に対して、少なくともその頂部５ａが入り込んだ状態で配置される導水壁５と、該導水壁５を挟んでその左右に適宜の間隔Ｗを隔てて配置される２枚の遮水壁６Ｌ、６Ｒと、上記導水壁５と２枚の遮水壁６Ｌ、６Ｒのそれぞれの基端部５ｂ、６ｂを支持し、建築構造躯体７の一部、またはサイディングボード２と建築構造躯体７との間に配置される補助躯体８ないし固定金具９によって構成される中間部材に対して取り付けられる取付け座板１０と、を備えることによって基本的に構成されている。尚、図３においては、サイディングボード２と建築構造躯体７、補助躯体８によって構成される中間部材等の取り付けには、通常の釘やビス等の取り付け手段が使用されているが、ここではその記載を省略している。
また、本発明の建物外壁の接合構造１１は、同じくサイディングボード２を使用した建築物の外壁工事に使用され、突合わせ部３の内方に所定形状及び所定深さの受入れ凹部４が形成されたサイディングボード２と、上記構成の建物外壁の接合具１と、を具備することによって基本的に構成されている。
【００３０】
本実施の形態による建物外壁の接合具１は、建物外壁１３の平面部１４の外壁工事に使用される２枚の平面部用のサイディングボード２Ｌ、２Ｒの接合に使用される。そして、上記遮水壁６Ｌ、６Ｒの頂部６ａ、６ａは、サイディングボード２Ｌ、２Ｒを設置した状態において、図３に示すようにサイディングボード２Ｌ、２Ｒの内壁面２ａに当接またはその近傍に位置するように配置されており、左右の遮水壁６Ｌ、６Ｒの間隔Ｗは、一例として右側のサイディングボード２Ｒに形成されている受入れ凹部４の間隙Ｄよりも大きくなるように設定されている。
【００３１】
また、上記導水壁５と２枚の遮水壁６Ｌ、６Ｒと取付け座板１０は、上記サイディングボード２Ｒに形成された受入れ凹部４の伸長方向Ｚに沿い、当該受入れ凹部４とほぼ同じ長さで一様断面の金属製または合成樹脂製の長尺部材によって構成されている。
また、本実施の形態では建物外壁１３の平面部１４に対して平面部用のサイディングボード２Ｌ、２Ｒを設置するため、当該建物外壁１３の形状と部位に合わせて平面形状の取付け座板１０が使用されている。また、取付け座板１０には、当該建物外壁の接合具１を建築構造躯体７や上記中間部材８、９にビス１７で取り付けるための図示しない取付け穴が形成されている。
【００３２】
また、本実施の形態では、左右の遮水壁６Ｌ、６Ｒの位置は、上記建物外壁１３の形状と部位に合わせて左右対称の位置に配置されており、上記導水壁５と２枚の遮水壁６Ｌ、６Ｒは共に平行で、上記取付け座板１０から直角に立ち上げられた状態で設けられている。
尚、このようにして構成される建物外壁の接合具１を取り付ける建築構造躯体７としては、図３に示す間柱１９が一例として適用できる。また、図３では１４ｍｍ厚のサイディングボード２を使用する場合の建物外壁の接合構造１１Ａが図示されており、上記間柱１９の左右に間柱１９とほぼ同じ大きさの補助木材下地２１、２１を配置し、該補助木材下地２１、２１に対して一例として木材下地によって構成される補助躯体８を中間部材として配置している。
そして、上記補助躯体８の厚さによってサイディングボード２と建築構造躯体７の間隔が設定されている。
【００３３】
また、上記導水壁５には、該導水壁５をくるむように被覆する吸水性を有するスポンジ材２３が設けられており、該スポンジ材２３の一部は、図３に示すようにサイディングボード２Ｒに形成されている上記受入れ凹部４に入り込んだ状態で配置されている。
尚、スポンジ材２３としては、毛細管現象による良好な吸水性を発揮し得る種々の材料が適用でき、一例としてＰＶＡスポンジ、ＰＵスポンジ等が適用可能である。また、他の材質の吸水性材料を使用したものでも良い。
また、導水壁５にスポンジ材２３を設けるに当たっては、予め導水壁５にスポンジ材２３を設けたものを用意しても良いし、後述するように、接合具１を取り付ける際にスポンジ材２３を設置しても良い。
更に、導水壁５にスポンジ材２３を設けない構成とすることも可能であるし、導水壁５自体に毛細管現象を利用して水を誘導するヒダや凹凸を形成とすることも考えられる。
【００３４】
また、本実施の形態では、上記間柱１９と中間部材となる補助躯体８との間に透湿防水シート２５を貼設している。透湿防水シート２５は、液体である水は通さないが気体である水蒸気（湿気）や乾いた空気を通す性質を有するシートである。
因みに、透湿防水シート２５としては、日本工業規格ＪＩＳＡ６１１１で規定されている厚さ０．１〜０．５ｍｍ程度のポリエチレン製の不織布シートが一例として適用可能である。
【００３５】
また、本実施の形態では、図３に示すように左右のサイディングボード２Ｌ、２Ｒの突合わせ面３ａは、サイディングボード２Ｌ、２Ｒの表面ないし裏面に対して直角な平滑な切断面によって構成されており、上述したように右側のサイディングボード２Ｒの突合わせ部３の内方のコーナー部のみに受入れ凹部４が形成されている。
上記受入れ凹部４は、本実施の形態では、サイディングボード２Ｒの突合わせ面３ａに沿って形成される矩形溝形状をした凹部によって構成されており、該受入れ凹部４の間隙Ｄは、上述したスポンジ材２３で被覆した導水壁５の頂部５ａを収容できる大きさに設定されている。
【００３６】
次に、このようにして構成される本実施の形態による建物外壁の接続構造１１Ａの作用と併せて、該建物外壁の接続構造１１Ａに雨水等が浸入した場合の雨水等の流れについて説明する。左右のサイディングボード２Ｌ、２Ｒは、ほとんど隙間なく突き合わせた状態で接合されている。しかし、サイディングボード２の突合わせ面３ａにできる僅かな隙間からでも雨水等はサイディングボード２の内方空間に浸入する。
突合わせ面３ａの隙間を通って浸入した雨水等は、受入れ凹部４に到達し、受入れ凹部４に存するスポンジ材２３で被覆された導水壁５の頂部５ａからスポンジ材２３の有する毛細管現象によって吸水されて導水壁５と遮水壁６と取付け座板１０とサイディングボード２の内壁面２ａとによって区画された空間によって形成される排水路３１に導かれ、該排水路３１の下端の排水口３３から外部に排出される。
【００３７】
そして、上記排水路３１内では、遮水壁６の存在によって中間部材である補助躯体８側への雨水等の浸入が防止されており、建物外壁の接合具１と間柱１９との間と、補助躯体８と補助木材下地２１との間に貼設されている透湿防水シート２５によって、建築構造躯体７側への更なる雨水等の浸入も防止されている。
【００３８】
また、このようにして構成される本実施の形態に係る建物外壁の接合具１と建物外壁の接合構造１１には、次に述べるような（Ａ）第１の変形例と（Ｂ）第２の変形例が存在する。
（Ａ）第１の変形例（図４参照）
図４に示す建物外壁の接合構造１１Ｂは、１５、１６、１８、２１ｍｍ厚のサイディングボード２を使用する場合に適用される建物外壁の接合構造１１を示している。具体的には、間柱１９と補助木材下地２１の表面に透湿防水シート２５を貼り、該透湿防水シート２５を挟んで幅方向Ｘに長い木材下地によって構成される補助躯体８を配置し、更に該補助躯体８の表面に建物外壁の接合具１を収容し得る所定の間隔を隔てて、２つの固定金具９を配置した構成が採用されている。
【００３９】
これに伴い、サイディングボード２と建築構造躯体７との間隔は、上記図３に示す建物外壁の接合構造１１Ａよりも広くなっており、建物外壁の接合具１の取付け位置は、間柱１９の表面から中間部材である補助躯体８の表面に変更されている。
また、図４に示す変形例では、左右に配置した遮水壁６Ｌ、６Ｒの間隔Ｗを図３に示す建物外壁の接合具１の場合よりも狭くしている。
【００４０】
（Ｂ）第２の変形例（図５参照）
図５に示す建物外壁の接合構造１１Ｃは、上記第１の変形例と同じ１５、１６、１８、２１ｍｍ厚のサイディングボード２を使用する場合に適用される建物外壁の接合構造１１を示している。具体的には、補助木材下地２１の表面に透湿防水シート２５を貼り、該透湿防水シート２５を挟んで図３に示す建物外壁の接合構造１１Ａよりも厚みのある中間部材となる固定金具９を配置し、図３に示す建物外壁の接合構造１１Ａにおいて設けていた中間部材となる補助躯体８を取り除いた構成が採用されている。
【００４１】
これに伴い、サイディングボード２と建築構造躯体７との間は、上記第１の変形例と同様に、上記図３に示す建物外壁の接合構造１１Ａよりも広くなっており、導水壁５と遮水壁６Ｌ、６Ｒの高さは、上記図３に示す建物外壁の接合具１の場合よりも高くなっている。
そして、このようにして構成される本実施の形態による建物外壁の接合具１及び建物外壁の接合構造１１によれば、施工が容易で施工後の外観品質に優れるシーリングレス工法に対応でき、シーリング材を使用しなくても高い止水性を発揮する安価な建物外壁の接合具１と、該接合具１を備えた建物外壁の接合構造１１を提供することが可能になる。
【００４２】
（２）第２の実施の形態（図６参照）
次に、第２の実施の形態による建物外壁の接合構造１１Ｄの具体的構成を説明する。本実施の形態による建物外壁の接合構造１１Ｄは、前述した第１の実施の形態の図４に示す第１の変形例と基本的に同様の構成を有しており、サイディングボード２に形成される受入れ凹部４の形状が上記第１の変形例と相違している点で差異を有している。従って、ここでは上記第１の実施の形態と同様の構成については説明を省略し、上記第１の実施の形態と相違する受入れ凹部４の形状に絞って説明する。
【００４３】
即ち、本実施の形態では、サイディングボード２に形成される受入れ凹部４がサイディングボード２の屈曲した突合わせ面３ａに沿って形成される、途中に屈曲部４ａを有する合しゃくり溝形状の凹部によって構成されている。
具体的には、左側のサイディングボード２Ｌの突合わせ部３側の端部には、表面側に凹部２７、裏面側に凸部２８が設けられており、右側のサイディングボード２Ｒの突合わせ部３側の端部には、表面側に上記凹部２７に係合する凸部２９、裏面側に上記凸部２８と係合する凹部３０がそれぞれ設けられている。そして、図６に示すように凸部２８の上面と凸部２９の下面との間と、凸部２８の右端面と凹部３０の右側の内壁面との間には逆Ｌ字状の空隙部が形成されており、この空隙部が受入れ凹部４として機能するように構成されている。
【００４４】
そして、このようにして構成される本実施の形態による建物外壁の接合構造１１Ｄによっても、上記第１の実施の形態と同様の作用、効果を享受でき、更に本実施の形態にあっては、サイディングボードの屈曲した突合わせ面３ａの存在によって、サイディングボード２の内方空間への雨水等の浸入の虞れが小さくなるから建物外壁１３の止水性が一層向上する。
【００４５】
（３）第３の実施の形態（図７参照）
次に、前述した第１の実施の形態の図３に示す構造の建物外壁の接合構造１１Ａを例にとって、該接合構造１１Ａを構築する際に実行される建物外壁の接合方法について具体的に説明する。
本発明の建物外壁の接合方法は、サイディングボード２を使用した建築物の外壁工事を行う際に実行されるサイディングボードの接合方法であり、シーリング材を使用しないシーリングレス工法に基づく建物外壁の接合方法である。
【００４６】
具体的には、建物外壁の接合具１を取り付ける接合具設置工程Ｐ２と、スポンジ材設置工程Ｐ４と、サイディングボード設置工程Ｐ５の３つの工程を備えることによって本発明の建物外壁の接合方法は基本的に構成されている。
また、本実施の形態では、上記接合具設置工程Ｐ２の前工程として透湿防水シート２５を貼設する透湿防水シート貼設工程Ｐ１を備え、上記接合具設置工程Ｐ２の後工程として中間部材８、９を設置する中間部材設置工程Ｐ３を備えた計５工程により建物外壁の接合方法が構成されている。以下、これらの工程を具体的に説明する。
【００４７】
（Ａ）透湿防水シート貼設工程（図３及び図７参照）
透湿防水シート貼設工程Ｐ１は、建築構造躯体７の表面に透湿防水シート２５を貼設する工程である。
即ち、本実施の形態では、間柱１９の左右に補助木材下地２１Ｌ、２１Ｒを配置し、間柱１９と左右の補助木材下地２１Ｌ、２１Ｒの表面に透湿防水シート２５を貼設する。
【００４８】
（Ｂ）接合具設置工程（図３及び図７参照）
接合具設置工程Ｐ２は、接合するサイディングボード２Ｌ、２Ｒの突合わせ部３に位置する建築構造躯体７、または同位置の中間部材８、９に対して、建物外壁の接合具１を取り付ける工程である。
即ち、建物外壁の接合具１における取付け座板１０を、間柱１９と補助木材下地２１の表面に貼設した透湿防水シート２５上に設置し、ビス１７等を使用して建物外壁の接合具１を建築構造躯体７の表面に取り付ける。尚、上記建物外壁の接合具１の取付け位置は、接合するサイディングボード２Ｌ、２Ｒに形成される受入れ凹部４の位置に導水壁５がくるように位置合わせして決定する。
【００４９】
（Ｃ）中間部材設置工程（図３及び図７参照）
中間部材設置工程Ｐ３は、接合するサイディングボード２Ｌ、２Ｒの突合わせ部３に位置する建築構造躯体７に対して、中間部材となる補助躯体８ないし固定金具９を設置する工程である。
即ち、本実施の形態では、上記左右の補助木材下地２１Ｌ、２１Ｒの表面に上記透湿防水シート２５と取付け座板１０を挟んで補助躯体８となる木材下地をビス等を使用して取り付ける。
【００５０】
（Ｄ）スポンジ材設置工程（図３及び図７参照）
スポンジ材設置工程Ｐ４は、建物外壁の接合具１の導水壁５に対して吸水性を有するスポンジ材２３を宛がい、当該スポンジ材２３で導水壁５をくるんで被覆する工程である。
例えば、導水壁５の基端部５ｂから導水壁５の表面に沿わせて伸長させたスポンジ材２３を導水壁５の頂部５ａで折り返し、導水壁５の裏面に沿わせて導水壁５の基端部５ｂに至らせるように配置する。
【００５１】
（Ｅ）サイディングボード設置工程（図３及び図７参照）
サイディングボード設置工程Ｐ５は、上記スポンジ材２３で被覆した導水壁５の頂部５ａをサイディングボード２の受入れ凹部４に押し込むようにして入れ、左右の遮水壁６Ｌ、６Ｒの頂部６ａを、上記受入れ凹部４を挟んだサイディングボード２の内壁面２ａに当接または近接する位置に至らせる工程である。
この場合、導水壁５の頂部５ａを案内にして左右のサイディングボード２Ｌ、２Ｒを一枚ずつ補助躯体８である木材下地の表面に配置し、サイディングボード２Ｌ、２Ｒの取付け位置が決まったところでビス等を利用してサイディングボード２Ｌ、２Ｒを補助躯体８の表面に固定する。
【００５２】
そして、このようにして構成される本発明の建物外壁の接合方法によれば、従来のシーリング工法において設けられていた面倒なシーリング材の充填工程が不要になり、建築物の外壁工事の施工性が向上する、また、シーリングレス工法に対応できるから施工後の建物外壁の外観品質が良好になる。また、スポンジ材２３による毛細管現象によって吸水された雨水等は、導水壁５と、遮水壁６と、取付け座板１０と、サイディングボード２の内壁面２ａと、によって区画された空間に導かれ、該空間が排水路３１となって、該排水路３１の下端の排水口３３から外部に排出されるから止水性が大幅に向上している。
【００５３】
（４）第４の実施の形態（図８参照）
次に、第４の実施の形態による建物外壁の接合方法について説明する。第４の実施の形態による建物外壁の接合方法は、コーナー部用のサイディングボード２Ｃを使用した建物外壁１３のコーナー部１５に建物外壁の接合具１を設置する場合に適用される建物外壁の接合方法である。
即ち、上記コーナー部用のサイディングボード２Ｃと、その左右に接合する２枚の平面部用のサイディングボード２Ｌ、２Ｒとの間に形成される２ヶ所の突合わせ部３、３に対して、１組ずつ、計２組の建物外壁の接合具１、１を使用して、これら３枚のサイディングボード２Ｌ、２Ｃ、２Ｒを接合することによって本実施の形態による建物外壁の接合方法は構成されている。
【００５４】
具体的には、図８では出隅１５ａとなる建物外壁１３のコーナー部１５が図示されており、建築構造躯体７となる出隅１５ａに位置する柱２０の直交する第１表面２０ａと第２表面２０ｂに対して、それぞれ同構造の２組の建物外壁の接合構造１１を配置することによって上記３枚のサイディングボード２Ｌ、２Ｃ、２Ｒの接合を行っている。また、図８では一例として図４に示すタイプの建物外壁の接合構造１１Ｂを２組使用している。
そして、このようにして構成される本実施の形態による建物外壁の接合方法を採用した場合にも、上記第３の実施の形態による建物外壁の接合方法と同様の作用、効果を享受することができ、更に本実施の形態では、建物外壁１３の平面部１４で使用したものと同構造の建物外壁の接合構造１１がそのまま使用できるから、施工が円滑になり、施工コストの削減も寄与し得る。
【００５５】
（５）第５の実施の形態（図９参照）
次に、第５の実施の形態による建物外壁の接合方法について説明する。第５の実施の形態による建物外壁の接合方法は、コーナー部用のサイディングボード２Ｃを使用しない建物外壁１３のコーナー部１５に建物外壁の接合具１を設置する場合に適用される建物外壁の接合方法である。
即ち、前述した構成の建物外壁の接合具１とは別タイプの専用の建物外壁の接合具１Ｆを使用して当該コーナー部１５に存する交差する２枚の平面部用のサイディングボード２Ｌ、２Ｒを接合することによって本実施の形態による建物外壁の接合方法は構成されている。
【００５６】
具体的には、図９では入隅１５ｂとなる建物外壁１３のコーナー部１５が図示されており、図示のような形状の建物外壁の接合具１Ｆが１組のみ使用されて交差する２枚のサイディングボード２Ｌ、２Ｒの接合が行われている。本実施の形態で使用される建物外壁の接合具１Ｆは、取付け座板１０が建物外壁１３のコーナー部１５の形状に合わせて折り曲げられた形状または曲面形状に形成されており、左右の遮水壁６Ｌ、６Ｒの位置が当該コーナー部の形状に合わせて左右非対称の位置で、且つ左右の遮水壁６Ｌ、６Ｒが交差する状態で配置された構成になっている。
【００５７】
そして、図９では、建築構造躯体７となる入隅１５ｂに位置する柱２０の第１表面２０ａに接するように配置されている補助木材下地２１Ｒと対向する位置に第１座板部１０ａ、柱２０の第２表面２０ｂに接するように配置されている補助木材下地２１Ｌと対向する位置に第２座板部１０ｂを有する直角に折り曲げられた取付け座板１０を備え、上記第１座板部１０ａから導水壁５と一方の遮水壁６Ｒを立ち上げ、上記第２座板部１０ｂから他方の遮水壁６Ｌを立ち上げた構成の建物外壁の接合具１Ｆが図示されている。
また、このようにして構成される本実施の形態による建物外壁の接合方法を採用した場合にも、上記第３の実施の形態による建物外壁の接合方法と同様の作用、効果を享受することができ、更に本実施の形態では、建物外壁１３の形状や部位の違う種々の建築物の外壁工事に対応できるから建物外壁の接合具１の適用範囲を拡大することができる。
【００５８】
（６）他の実施の形態
本発明の建物外壁の接合具１、建物外壁の接合構造１１及び建物外壁の接合方法は、前述した５つの実施の形態のものに限定されず、その説明の要旨内での変更が可能である。
例えば、本発明の建物外壁の接合具１を金属製材料によって形成する場合には１枚の金属製平板材料を折り曲げることによって導水壁５と、２枚の遮水壁６Ｌ、６Ｒと取付け座板１０を連続的に一体に形成することが可能である。
また、サイディングボード２の突合わせ部３の内方に設けた受入れ凹部４は、図３、４、５に示すように右側のサイディングボード２Ｒに設ける場合に限らず、左側のサイディングボード２Ｌ側に設けてもよいし、左右のサイディングボード２Ｌ、２Ｒの両方に凹部を設けて、これら２つの凹部を組み合わせることによって受入れ凹部４を形成することも可能である。
【００５９】
また、受入れ凹部４の形状は、前述した２種類の形状に限らず、Ｖ字溝形状、Ｕ字溝形状等、種々の形状の受入れ凹部４を採用することが可能である。また、建物外壁１３が曲面を有している場合には、曲面形状の取付け座板１０を採用することができ、建物外壁１３が段差部を有している場合には、当該段差部に設ける建物外壁の接合具１としては、当該段差部に合わせて屈曲させた形状の取付け座板１０を採用することも可能である。
この他、本発明の建物外壁の接合構造１１を設置する建築構造躯体７としては、上述した間柱１９やコーナー部１５に設ける柱２０に限らず、これらの間に設けられる縦枠や横枠あるいは梁や筋交い等であっても構わない。
【産業上の利用可能性】
【００６０】
本発明の建物外壁の接合具、建物外壁の接合構造及び建物外壁の接合方法は、建築物の外壁工事を行っている施工分野や該外壁工事で使用する建物外壁の接合具やサイディングボードの製造・使用分野等で利用でき、特にシーリングレス工法に対応でき、施工が容易で止水性に優れ、外観品質が良好な建物外壁を構築したい場合に利用可能性を有する。
【符号の説明】
【００６１】
１  建物外壁の接合具
２  サイディングボード
２ａ  内壁面
３  突合わせ部
３ａ  突合わせ面
４  受入れ凹部
４ａ  屈曲部
５  導水壁
５ａ  頂部
５ｂ  基端部
６  遮水壁
６ａ  頂部
６ｂ  基端部
７  建築構造躯体
８  補助躯体（中間部材）
９  固定金具（中間部材）
１０  取付け座板
１０ａ  第１座板部
１０ｂ  第２座板部
１１  建物外壁の接合構造
１３  建物外壁
１４  平面部
１５  コーナー部
１５ａ  出隅
１５ｂ  入隅
１７  ビス
１９  間柱
２０  柱
２０ａ  第１表面
２０ｂ  第２表面
２１  補助木材下地
２３  スポンジ材
２５  透湿防水シート
２７  凹部
２８  凸部
２９  凸部
３０  凹部
３１  排水路
３３  排水口
Ｗ  間隔
Ｄ  間隙
Ｚ  伸長方向
Ｘ  幅方向
Ｐ１  透湿防水シート貼設工程
Ｐ２  接合具設置工程
Ｐ３  中間部材設置工程
Ｐ４  スポンジ材設置工程
Ｐ５  サイディングボード設置工程
【図１】
0006749730.tif 000002
【図２】
0006749730.tif 000003
【図３】
0006749730.tif 000004
【図４】
0006749730.tif 000005
【図５】
0006749730.tif 000006
【図６】
0006749730.tif 000007
【図７】
0006749730.tif 000008
【図８】
0006749730.tif 000009
【図９】
0006749730.tif 000010
【図１０】
0006749730.tif 000011